(57)【要約】  本発明の一態様による採光装置（１）は、採光ユニット（１０）と、採光ユニット（１０）を窓枠（１０９）に装着するための装着部（１１）と、を備え、採光ユニット（１０）は、採光シート（１２）と、採光シート（１２）の周縁部を支持するフレーム（１３）と、を備え、採光シート（１２）は、光透過性を有する基材と、基材の第１面に設けられた光透過性を有する複数の採光部と、複数の採光部の間に設けられた空隙部と、を備え、空隙部に接する採光部の側面の一部が採光部に入射した光を反射する反射面として機能するものである。
2015174397.tif 000002
【特許請求の範囲】
【請求項１】
採光ユニットと、前記採光ユニットを被装着物に装着するための装着部と、を備え、
前記採光ユニットは、採光シートと、前記採光シートの周縁部の少なくとも一部において前記採光シートを支持する支持部材と、を備え、
前記採光シートは、光透過性を有する基材と、前記基材の第１面に設けられた光透過性を有する複数の採光部と、前記複数の採光部の間に設けられた空隙部と、を備え、
前記空隙部に接する前記採光部の側面の一部が前記採光部に入射した光を反射する反射面として機能する採光装置。
【請求項２】
前記支持部材が枠体からなり、
前記枠体は、前記採光シートの周縁部を取り囲む形態で前記採光シートを支持する請求項１に記載の採光装置。
【請求項３】
前記枠体は、前記採光シートが配置される内壁面に溝部を有し、前記採光シートの周縁部が前記溝部に挿入されることにより前記採光シートを支持する請求項２に記載の採光装置。
【請求項４】
前記溝部の底面と前記採光シートとの間に間隙を有する請求項３に記載の採光装置。
【請求項５】
複数の前記採光ユニットを備え、
前記採光ユニット同士を連結する連結部材が、前記支持部材に設けられる請求項１から請求項４までのいずれか一項に記載の採光装置。
【請求項６】
前記支持部材の一部に、前記採光シートの主面の法線方向に対して光の入射方向側に傾いた傾斜面が設けられる請求項１から請求項５までのいずれか一項に記載の採光装置。
【請求項７】
前記支持部材の一部に、光透過部が設けられる請求項１から請求項６までのいずれか一項に記載の採光装置。
【請求項８】
前記採光シートの主面に平行な回転軸を中心として前記採光ユニットを回転させる回転機構を備える請求項１から請求項７までのいずれか一項に記載の採光装置。
【請求項９】
前記装着部が、一方向に配列された複数の装着部を含み、
前記回転機構は、前記複数の装着部の配列方向に平行な方向に延びる回転軸を中心として前記採光ユニットを回転させる請求項８に記載の採光装置。
【請求項１０】
前記装着部が、一方向に配列された複数の装着部を含み、
前記複数の装着部のうち、少なくとも一つの装着部は前記採光ユニットから離脱可能であり、
前記回転機構は、前記複数の装着部の配列方向に垂直な方向に延びる回転軸を中心として前記採光ユニットを回転させる請求項８に記載の採光装置。
【請求項１１】
前記支持部材の少なくとも一部に、弾性体が設けられる請求項１から請求項１０までのいずれか一項に記載の採光装置。
【請求項１２】
前記支持部材が、前記採光シートの外周に沿う方向に伸縮可能である請求項１から請求項１１までのいずれか一項に記載の採光装置。
【請求項１３】
前記採光ユニットに、温度管理用部材が設けられる請求項１から請求項１２までのいずれか一項に記載の採光装置。
【発明の詳細な説明】
【技術分野】
【０００１】
本発明は、採光装置に関するものである。
本願は、２０１４年５月１３日に、日本に出願された特願２０１４−０９９５９７号に基づき優先権を主張し、その内容をここに援用する。
【背景技術】
【０００２】
従来、窓などに適用される採光シートにおいては、その多くが採光機能を担う微細構造部を複数有している。これらの多くは、採光シートを窓ガラスに直接貼り付ける形態を採用している。採光シートを窓ガラスに貼り付ける形態の場合、採光シートの施工や取り外しが困難である。また、微細構造部が設けられている側を窓ガラスに対向させた状態で採光シートを貼り付ける場合、微細構造部が接着剤に埋まってしまい、採光機能が低下してしまうという問題があった。【０００３】
これを解決する方法として、２枚の保護プレートの間に採光シートを配置し、いずれか一方の保護プレート側に設けた接着剤を介して窓ガラスに接着させる方法が提案されている（例えば、特許文献１）。この構成によれば、窓ガラスに接着するための接着剤に微細構造部が埋まってしまうことがない。【０００４】
特許文献１には、第１の保護プレートと、採光シートを備えた第２の保護プレートと、を備える窓システムを対象としたもので、採光シートを内側にして第１の保護プレートと第２の保護プレートとが固定されている。【０００５】
また、採光シートの微細構造面側に設けた接着専用の突起部を複数設け、これら突起部を介して窓ガラスに接着することによって、接着剤あるいは窓ガラスと微細突起部との間を中空にする構造も提案されている。
【先行技術文献】
【特許文献】
【０００６】
【特許文献１】特開２０１３−２３５８６０号公報
【発明の概要】
【発明が解決しようとする課題】
【０００７】
しかしながら、上述したいずれの文献の構成も、採光装置を窓ガラスに直接接着するタイプなので、窓（窓ガラス）に対して容易に取り外しができる構造にはなっていない。また、採光シートと同じ面積の保護プレートが複数必要になるため、重量が増加してしまう。【０００８】
本発明の一つの態様は、上記従来技術の問題点に鑑み成されたものであって、重量の増加を抑えつつ、窓（窓ガラス）に対して容易に取り外しが可能とされた採光装置を提供することを目的の一つとしている。
【課題を解決するための手段】
【０００９】
本発明の一態様である採光装置は、採光ユニットと、前記採光ユニットを被装着物に装着するための装着部と、を備え、前記採光ユニットは、採光シートと、前記採光シートの周縁部の少なくとも一部において前記採光シートを支持する支持部材と、を備え、前記採光シートは、光透過性を有する基材と、前記基材の第１面に設けられた光透過性を有する複数の採光部と、前記複数の採光部の間に設けられた空隙部と、を備え、前記空隙部に接する前記採光部の側面の一部が前記採光部に入射した光を反射する反射面として機能する。【００１０】
本発明の一態様である採光装置は、前記支持部材が枠体からなり、前記枠体は、前記採光シートの周縁部を取り囲む形態で前記採光シートを支持する構成としてもよい。【００１１】
本発明の一態様である採光装置は、前記枠体は、前記採光シートが配置される内壁面に溝部を有し、前記採光シートの周縁部が前記溝部に挿入されることにより前記採光シートを支持する構成としてもよい。【００１２】
本発明の一態様である採光装置は、前記溝部の底面と前記採光シートとの間に間隙を有する構成としてもよい。【００１３】
本発明の一態様である採光装置は、複数の前記採光ユニットを備え、前記採光ユニット同士を連結する連結部材が、前記支持部材に設けられた構成としてもよい。【００１４】
本発明の一態様である採光装置は、前記支持部材の一部に、前記採光シートの主面の法線方向に対して光の入射方向側に傾いた傾斜面が設けられた構成としてもよい。【００１５】
本発明の一態様である採光装置は、前記支持部材の一部に、光透過部が設けられた構成としてもよい。【００１６】
本発明の一態様である採光装置は、前記採光シートの主面に平行な回転軸を中心として前記採光ユニットを回転させる回転機構を備えた構成としてもよい。【００１７】
本発明の一態様である採光装置は、前記装着部が、一方向に配列された複数の装着部を含み、前記回転機構は、前記複数の装着部の配列方向に平行な方向に延びる回転軸を中心として前記採光ユニットを回転させる構成としてもよい。【００１８】
本発明の一態様である採光装置は、前記装着部が、一方向に配列された複数の装着部を含み、前記複数の装着部のうち、少なくとも一つの装着部は前記採光ユニットから離脱可能であり、前記回転機構は、前記複数の装着部の配列方向に垂直な方向に延びる回転軸を中心として前記採光ユニットを回転させる構成としてもよい。【００１９】
本発明の一態様である採光装置は、前記支持部材の少なくとも一部に、弾性体が設けられた構成としてもよい。【００２０】
本発明の一態様である採光装置は、前記支持部材が、前記採光シートの外周に沿う方向に伸縮可能である構成としてもよい。【００２１】
本発明の一態様である採光装置は、前記採光ユニットに、温度管理用部材が設けられた構成としてもよい。
【発明の効果】
【００２２】
以上のように、本発明の一つの態様によれば、屋外の自然光（太陽光）を屋内に効率良く採り入れるとともに、屋内に居る人に眩しさを感じさせずに屋内を明るく感じさせることができ、被装着物に対して容易に取り外しが可能とされた採光装置を提供することが可能である。
【図面の簡単な説明】
【００２３】
【図１】窓に設置された状態の採光装置の外観を示す正面図。
【図２】図１のＡ−Ａ’線に沿う断面図。
【図３Ａ】採光シートの構成を示す斜視図。
【図３Ｂ】採光部の断面形状を示す図。
【図４】フレームの構成を示す斜視図。
【図５】採光ユニットの構成を示す断面図。
【図６】部屋モデルの一例を示す図。
【図７】第１実施形態における採光装置の採光機能を説明するための図。
【図８】採光装置を透過する光の光路を示す図。
【図９Ａ】採光装置の設置例を示す第１の図。
【図９Ｂ】採光装置の設置例を示す第２の図。
【図９Ｃ】採光装置の設置例を示す第３の図。
【図９Ｄ】採光装置の設置例を示す第４の図。
【図１０】第２実施形態における採光装置の全体構成を示す図。
【図１１】第２実施形態における採光装置の要部構成を示す図であって、図１０のＢ−Ｂ’線に沿う断面図。
【図１２】採光装置の採光機能を説明するための図。
【図１３】他の連結構造を示す図。
【図１４Ａ】第３実施形態の採光装置の構成を示す正面図。
【図１４Ｂ】図１４ＡのＣ−Ｃ’線に沿う断面図。
【図１５Ａ】第３実施形態の採光装置の使用状態を示す図。
【図１５Ｂ】採光装置を使用していない状態（跳ね上げた状態）を示す図。
【図１６】第４実施形態における採光装置の設置状態を示す正面図。
【図１７Ａ】図１６のＤ−Ｄ’線に沿う断面図であって、通常の使用時における採光装置を示す図。
【図１７Ｂ】図１６のＤ−Ｄ’線に沿う断面図であって、解放時における採光装置を示す図。
【図１８】フレームの厚みと入射光量との関係を説明するための図。
【図１９】縦幅内寸をＨ（ｃｍ）としたときのフレームにおける採光シートの設置位置Ｙ（ｃｍ）と有効入射効率（％）との関係を入射角度ごとに示すグラフ。
【図２０】縦幅内寸をＨ（ｃｍ）としたときのフレームにおける採光シートの設置位置Ｙ（ｃｍ）と有効射出効率（％）との関係を射出角度ごとに示すグラフ。
【図２１Ａ】第５実施形態における採光装置の構成を示す正面図。
【図２１Ｂ】図２１ＡのＥ−Ｅ’線に沿う断面図。
【図２２】フレームの傾斜面の角度を定義するための図。
【図２３】フレームの傾斜面の角度と太陽高度との関係を示すグラフ。
【図２４Ａ】第６実施形態における採光装置の構成を示す正面図。
【図２４Ｂ】図２４ＡのＦ−Ｆ’線に沿う断面図。
【図２５】第６実施形態におけるフレームの上辺側から見た図。
【図２６】第６実施形態におけるフレームの側面図。
【図２７】第６実施形態におけるフレームの変形例を示す図。
【図２８Ａ】第７実施形態の採光装置における採光ユニットの構成を模式的に示す平面図。
【図２８Ｂ】第７実施形態の採光装置における採光ユニットの構成を模式的に示す図であって、図２８ＡのＩ−Ｉ’線に沿う断面図。
【図２９Ａ】周囲の温度変化によって採光シートに変形が生じる様子を示す図であって、常温時の様子を示す図。
【図２９Ｂ】周囲の温度変化によって採光シートに変形が生じる様子を示す図であって、高温時（膨張変化時）の様子を示す図。
【図３０】温度変化に伴う形状変化と平均線膨張係数との関係を示す図。
【図３１Ａ】第８実施形態の採光装置の全体構成を示す正面図。
【図３１Ｂ】温度検出材の設置状態を示す図。
【図３２】第９実施形態の採光装置における採光ユニットの要部構成を示す平面図。
【図３３】第１０実施形態の採光装置における採光ユニットの要部構成を示す平面図。
【図３４】第１０実施形態のフレームの構成を説明するための斜視図。
【図３５】第１１実施形態の採光装置の概略構成を示す断面図。
【図３６】ＵＶカット対策が施されたＰＥＴフィルムの光線透過率（破線で示すグラフ）と、ＵＶカット対策が施されていないＰＥＴフィルムとにおける光線透過率（実線で示すグラフ）と、を示すグラフ。
【図３７】第１２実施形態の採光装置の構成を示す断面図。
【図３８】光拡散層の一形態を示す斜視図。
【図３９】光拡散層の光散乱特性を示すグラフ。
【図４０】光拡散層の他の形態を示す斜視図。
【図４１Ａ】採光スラットの光拡散特性を説明するための部屋モデルの模式図であって、部屋を上方から見た図。
【図４１Ｂ】採光スラットの光拡散特性を説明するための部屋モデルの模式図であって、部屋を側方から見た図。
【図４２】第１３実施形態の採光装置の構成を示す斜視図。
【図４３】第１３実施形態の採光装置の構成を示す断面図
【図４４】第１４実施形態の採光装置の構成を示す図。
【図４５Ａ】第１４実施形態の採光装置の機能について説明するための図であって、ブラインドの開状態を示す図。
【図４５Ｂ】第１４実施形態の採光装置の機能について説明するための図であって、ブラインドの開放状態を示す図。
【図４５Ｃ】第１４実施形態の採光装置の機能について説明するための図であって、ブラインドの閉状態を示す図。
【図４６】採光装置及び照明調光システムを備えた部屋モデルを示す図であって、図４７のＪ−Ｊ’線に沿う断面図である。
【図４７】部屋モデルの天井を示す平面図。
【図４８】採光装置によって室内に採光された光（自然光）の照度と、室内照明装置による照度（照明調光システム）との関係を示すグラフ。
【発明を実施するための形態】
【００２４】
以下、本発明の実施形態につき、図面を参照して説明する。
なお、以下の説明に用いる各図面では、各部材を認識可能な大きさとするため、各部材の縮尺を適宜変更している。
【００２５】
［第１実施形態］
先ず、本発明の第１実施形態として、例えば図１に示す採光装置１について説明する。
図１は、窓に設置された状態の採光装置の外観を示す平面図である。図２は、図１のＡ−Ａ’線に沿う断面図である。図３Ａは採光シートの構成を示す斜視図、図３Ｂは採光部の形状を示す断面図である。図４は、フレームの構成を示す斜視図である。図５は、採光ユニットの構成を示す断面図である。
【００２６】
採光装置１は、図１及び図２に示すように、採光ユニット１０と一対の装着部１１，１１とを備えて構成されている。
採光ユニット１０は、採光シート１２と、採光シート１２を支持するフレーム（支持部材）１３と、を有する。
【００２７】
採光シート１２は、図３Ａに示すように、光透過性を有する基材２と、基材２の第１面２ａに設けられた光透過性を有する複数の採光部３と、複数の採光部３の間に設けられた空隙部４と、を備えている。
【００２８】
基材２は、熱可塑性ポリマーや熱硬化性樹脂、光重合性樹脂等の光透過性樹脂からなる。また、光透過性樹脂としては、アクリル系ポリマー、オレフィン系ポリマー、ビニル系ポリマー、セルロース系ポリマー、アミド系ポリマー、フッ素系ポリマー、ウレタン系ポリマー、シリコーン系ポリマー、イミド系ポリマー等からなるものを用いることができる。その中でも、例えば、ポリメタクリル酸メチル樹脂（ＰＭＭＡ）、トリアセチルセルロース（ＴＡＣ）、ポリエチレンテレフタレート（ＰＥＴ）、シクロオレフィンポリマー（ＣＯＰ）、ポリカーボネート（ＰＣ）、ポリエチレンナフタレート（ＰＥＮ）、ポリエーテルサルホン（ＰＥＳ）、ポリイミド（ＰＩ）等を好適に用いることができる。基材２の全光線透過率は、ＪＩＳ  Ｋ７３６１−１の規定で９０％以上が好ましい。これにより、十分な透明性を得ることができる。
【００２９】
採光部３は、例えば、アクリル樹脂やエポキシ樹脂、シリコーン樹脂等の光透過性及び感光性を有する有機材料で構成されている。また、これらの有機材料に、重合開始剤やカップリング剤、モノマー、有機溶媒等を混合したものを用いることができる。さらに、重合開始剤は、安定剤、禁止剤、可塑剤、蛍光増白剤、離型剤、連鎖移動剤、他の光重合性単量体等のように、各種の添加成分を含んでいてもよい。その他、特許第４１２９９９１号公報に記載の材料を用いることができる。採光部３の全光線透過率は、ＪＩＳ  Ｋ７３６１−１の規定で９０％以上が好ましい。これにより、十分な透明性を得ることができる。
【００３０】
複数の採光部３は、図３Ａに示すように、基材２の長手方向（長さ方向）に延在し、且つ、基材２の短手方向（幅方向）に並んで設けられている。また、各採光部３は、図３Ｂに示すように断面形状が多角形状のプリズム体を構成している。採光部３は、例えば、長手方向に直交する断面形状において６つの頂部（ｑ１〜ｑ６）を有し、その全ての内角が１８０°未満とされた六角形である。採光部３の各面３Ａ〜３Ｆのうち、頂部ｑ３を通る第１面３Ａに垂直な平面よりも下方に位置する第４面３Ｄ、第５面３Ｅ、第６面３Ｆが、第２面３Ｂ、第３面３Ｃから入射した光を反射する反射面として機能する。
【００３１】
ここで、隣り合う採光部３にの間の空間（空隙部４）には空気が存在しているため、この空間が空気との界面となる。この間には、他の低屈折率材料で充填してもよい。しかしながら、採光部３の内部と外部との界面の屈折率差は、外部にいかなる低屈折率材料が存在する場合よりも空気が存在する場合に最大となる。
【００３２】
なお、基材２の屈折率と採光部３の屈折率とは略同等であることが望ましい。その理由は、例えば、基材２の屈折率と採光部３の屈折率とが大きく異なる場合、光が採光部３から基材２に入射したときに、これら採光部３と基材２との界面で不要な光の屈折や反射が生じることがある。この場合、所望の採光特性が得られない、輝度が低下するなどの不具合が生じる虞があるからである。
【００３３】
採光シート１２の製造方法としては、例えば、フォトリソグラフィ技術を用いて基材２の上に複数の採光部３を形成することができる。また、フォトリソグラフィ技術を用いる方法以外にも、溶融押し出し法や型押し出し法、インプリント法などの方法によって、採光シート１２を製造することができる。溶融押し出し法や型押し出し法などの方法では、基材２と複数の採光部３とは同一の樹脂によって一体に形成される。
【００３４】
フレーム１３は、図４及び図５に示すように、アルミニウム製の枠体からなり、採光シート１２の周囲を取り囲むようにして採光シート１２を平坦な状態で保持するものである。フレーム１３の内壁面１３Ｃに形成された溝部１４に採光シート１２の周縁部１２Ｃを挿入させることによって、採光シート１２がフレーム１３内に収容される構成となっている。フレーム１３の開口部１３Ａは、採光シート１２の平面視における面積よりも小さい開口面積で形成されている。これにより、採光シート１２の周縁部１２Ｃの全体をフレーム１３の溝部１４に挿入させた状態で確実に保持することができる。
【００３５】
このような構成を有する採光ユニット１０は、装着部１１により窓の上部から吊り下げられた状態で設置される。図１及び図２において、符号８は窓ガラス、符号１０８は窓サッシ、符号１０９は窓枠を表している。
【００３６】
各装着部１１は、図５に示すように、採光ユニット１０を窓枠（被装着物）１０９に取り付けるための取付部材１５と、複数の取付ネジ１６と、をそれぞれ備える。取付部材１５は、ステンレス製のもので、互いに垂直な姿勢で連結されたフレーム取付部１５Ａと窓枠取付部１５Ｂとにより、断面視Ｌ字型を呈するものである。取付部材１５は、フレーム取付部１５Ａ及び窓枠取付部１５Ｂの各々に形成されたネジ穴１５ｂに取付ネジ１６を螺合させることにより、フレーム１３及び窓枠１０９に固定される。なお、取付部材１５の形状は上述したものに限らない。
【００３７】
一方、本実施形態の採光ユニット１０のフレーム１３には、上部に一対の取付部１３Ｂ，１３Ｂが設けられている。取付部材１５をフレーム１３に固定する場合には、フレーム１３側に設けられた取付部１３Ｂ，１３Ｂのネジ穴１３ｂ、１３ｂと取付部材１５側のネジ穴１５ｂ，１５ｂとに同時に取付ネジ１６を螺合させる。
このようにして、採光ユニット１０が装着部１１を介して窓枠１０９に装着される。装着された状態において、採光シート１２の微細構造面３ａが窓ガラス８に対向した姿勢となっている。
【００３８】
本実施形態の採光ユニット１０は、一対の装着部１１を介して窓枠１０９に固定されているが、装着部１１の数は２つに限らない。採光ユニット１０の大きさ等に応じて適宜変更することが可能である。  
【００３９】
以下、部屋モデルの一例について説明する。
図６は、部屋モデル１０００の一例を示す図である。部屋モデル１０００は、例えば採光装置１のオフィスでの使用を想定したモデルである。図６には、採光装置１が設置された窓１００２、部屋１００３、天井１００３ａ、太陽光が入射する側の壁１００３ｂ、床１００３ｃ、上記壁１００３ｂと対向する壁１００３ｄ、椅子に座っている人１００４、床１００３ｃに立っている人１００５が図示されている。
採光装置１は、窓１００２の室内側の上部に設置されている。
【００４０】
図６に示すように、部屋１００３はオフィスを例としており、部屋１００３の断面（ＸＺ断面）の形状は矩形である。部屋１００３の高さＨ３（床１００３ｃから天井１００３ａまでの高さ）は、例えば２．７ｍである。窓１００２の高さＨ２は、例えば１．８ｍである。採光装置１は、窓１００２における、人間の視界を遮らない部分（天井１００３ａから例えば０．７ｍの部分）に設けられている。採光装置１の高さＨ１は例えば０．７ｍである。
【００４１】
部屋モデル１０００においては、壁１００３ｂから例えば１ｍ程度、離れた所で人が動くことを想定している。窓付近の領域Ｄにおいては、人が居ないこととしている。窓付近の領域Ｄは例えば１ｍであって、人が動く領域を想定している。
【００４２】
また、人の眼の位置は、床１００３ｃから例えば０．８ｍ〜１．８ｍを想定している。
床１００３ｃに立っている人１００５の眼の高さＨａは例えば１．８ｍである。椅子に座っている人１００４の眼の高さＨｂは例えば０．８ｍである。これらの眼の高さＨａ，Ｈｂに基づいて、人の眼の位置の範囲を想定している。
【００４３】
採光装置１は、外光Ｌを天井１００３ａに向けて進行させる機能を有する。天井１００３ａに向けて進行する光Ｌ’は、天井１００３ａで反射して室内を照射し、照明の代わりとなる。しかし実際には、採光装置１を通過した光Ｌ’は、天井１００３ａに向けて進行するだけではなく、壁１００３ｄあるいは床１００３ｃに向けて進行する。
【００４４】
このとき、採光装置１を通過した光Ｌ’には、屋内に居る人の眼の位置に向かう光も存在する。このような光は、屋内に居る人に眩しさを感じさせることとなる。部屋モデル１０００において、屋内に居る人に眩しさを感じさせる領域をグレア領域ＡＲとする。グレア領域ＡＲの範囲は、前記人の動く領域及び人の眼の位置に基づいて規定されている。グレア領域ＡＲは、壁１００３ｂから例えば１ｍ離れた所において、床１００３ｃから例えば０．８ｍ〜１．８ｍの領域である。
【００４５】
図７は、本実施形態における採光装置の採光機能を説明するための図である。
図８は、採光装置を透過する光の光路を示す図である。
入射光は太陽光が主になるため、採光装置１の斜め上方から主に入射する。図７に示すように、窓ガラス８を通じて採光装置１に入射した光Ｌは、採光シート１２の各採光部３において屈折及び反射されて斜め上方に向けて射出する。具体的に、採光シート１２に入射した光は、図８に示すように、採光部３の第３面３Ｃにおいて屈折されて第５面３Ｅへと進み、第５面３Ｅで反射されて第１面３Ａ側から室内へ射出され、図７に示す部屋１００３の天井１００３ａへ向かって進む光となる。
【００４６】
これにより、図６に示すように、窓１００２を通して部屋１００３に入射した光Ｌのうち、グレア領域ＡＲに向かう光や床１００３ｃに向かう光の輝度を低減しながら、天井１００３ａに向かう光の輝度を相対的に高めることが可能である。すなわち、窓１００２を通して部屋１００３に入射した光Ｌを天井１００３ａに向けて効率良く照射することができる。また、部屋１００３に居る人１００４，１００５に眩しさを感じさせることなく、天井１００１に向かう光Ｌを部屋１００３の奥の方まで照射することができる。
【００４７】
さらに、天井１００３ａで反射された光Ｌ’は、照明光の代わりとして、部屋１００３を広範囲に亘って明るく照らすことになる。この場合、部屋１００３の照明設備を消灯することによって、日中に部屋１００３の照明設備が消費するエネルギーを節約する省エネルギー効果が期待できる。
【００４８】
図９Ａ〜図９Ｄは、採光装置１の設置例を示す図である。なお、図中、上側の図は正面図、下側の図は上面図である。
採光装置１を窓１００２に設置する方法には種々の方法がある。
例えば、図９Ａに示すように、窓ガラス８に採光ユニット１０の面全体が対向するように採光装置１を設置してもよい。部屋の左右方向において窓１００２（窓ガラス８）よりも小さい幅寸法を有する採光ユニット１０の場合には、採光装置１が窓１００２の幅方向中央に位置するように窓枠１０９の上部１０９ａに取り付けてもよい。
【００４９】
図９Ｂに示すように、採光ユニット１０を構成するフレーム１３の一部が、窓サッシ１０８に対向するように採光装置１を設置してもよい。
図９Ｃに示すように、窓枠１０９の内側に嵌め込むようにして採光装置１を設置してもよい。ここでは、窓ガラス８から距離をおいた位置に配置しているが、窓サッシ１０８に接するように採光装置１を配置してもよい。
図９Ｄに示すように、窓枠１０９の室内側の面１０９ｃに接するように採光装置１を設置してもよい。
いずれの場合も、採光装置１は、装着部１１を介して採光ユニット１０を窓枠１０９に取り付けることで窓１００２に装着される。
【００５０】
いずれの設置方法においても、採光ユニット１０は、採光シート１２における複数の採光部３が形成された微細構造面３ａを窓ガラス８に対向させた姿勢で設置される。
【００５１】
本実施形態における採光装置１は、装着部１１と採光ユニット１０とから構成され、装着部１１において窓枠１０９（窓１００２）に対して着脱可能な仕組みとなっている。そのため、従来の窓ガラス８に直接貼り付ける形態のものと比較して、窓１００２に対する採光装置１の取り付けまたは取り外しを容易に行うことができる。これにより、メンテナンス作業や採光ユニット１０の交換作業等を効率よく行える。
【００５２】
また、２枚の保護プレートの間に採光シートを配置する形態のものと比較して、軽量な設計が可能である。このため、採光装置１の大型化が可能となり、大きい窓に対して設置したいという要望にも迅速に対応できる。
【００５３】
また、装着部１１により、窓枠１０９に対する採光ユニット１０の設置位置を自在に調整することができる。このため、例えば、窓ガラス８から所定の距離を置いて採光ユニット１０を設置することにより、本実施形態のように、採光シート１２の微細構造側（採光部３が形成された側）を窓１００２に向けた姿勢にすることができる。なお、採光シート１２の微細構造側（採光部３が形成された側）を室内側に向けた姿勢にすることも可能である。
【００５４】
また、本実施形態の採光ユニット１０は、採光シート１２がフレーム１３内に収容された構成とされている。フレーム１３によって採光シート１２の周囲を固定することによって、採光シート１２の平坦性を維持することができる。その結果、良好な採光機能が得られる。
【００５５】
［第２実施形態］
次に、本発明に係る第２実施形態の採光装置２０の構成について述べる。
図１０は、第２実施形態における採光装置の全体構成を示す図である。図１１は、第２実施形態における採光装置の要部構成を示す図であって、図１０のＢ−Ｂ’線に沿う断面図である。なお、以下に示す本実施形態の採光装置２０の基本構成において、上記した第１実施形態と共通な箇所の説明は省略する。また、説明に用いる各図面においても、図１〜９と共通の構成要素には同一の符号を付すものとする。
【００５６】
採光装置２０は、図１０に示すように、採光装置２０は、複数の採光ユニット１０と、複数の連結部材２１と、一対の装着部１１とを備えて構成されている。本実施形態では、２つ連結部材２１を介して３つの採光ユニット１０（１０Ａ，１０Ｂ，１０Ｃ）が上下方向に連結された構造となっている。
【００５７】
連結部材２１は、図１１に示すように、上下方向で互いに隣り合う複数の採光ユニット１０Ａ，１０Ｂ，１０Ｃのうち、上方に位置する採光ユニット１０側に設けられた係止部２２と、下方に位置する採光ユニット１０側に設けられた係止部２３とによって構成される。
【００５８】
具体的に、係止部２２は、フレーム１３の下方に突設された断面視略Ｌ字状を呈するもので、フレーム１３の下辺１３ｃの全体に延在する。一方、係止部２３は、フレーム１３の上方に突設された断面視Ｌ字状を呈するもので、フレーム１３の上辺１３ａの全体に亘って延在する。係止部２２，２３は、互いの噛合部２２ａ，２３ａを上下方向に噛み合わせた状態で係止する。連結部材２１は、係止部２２，２３が採光面内（ＹＺ面内）で重なる構成のため、連結部材２１から光Ｌが漏れ出ることはない。よって、図１２に示すように、各採光ユニット１０の採光シート１２を透過した光Ｌのみが室内へと入射する。
【００５９】
本実施形態の採光装置２０は、複数の採光ユニット１０を上下方向に連結できる連結構造とされているため、大型な窓への設置も容易となる。また、複数の採光ユニット１０を相互間に隙間なく連結することができるため、連結部材２１の隙間から光Ｌ（図１２）が漏れて室内に居る人に不快感を与えることはない。
【００６０】
なお、本実施形態の連結部材２１は、フレーム１３の上辺１３ａあるいは下辺１３ｃの全体に延在する係止部２２，２３によって構成されているが、これに限らない。例えば、フレーム１３の上辺１３ａあるいは下辺１３ｃの一部分に係止部２２，２３をそれぞれ設けるようにしてもよい。
【００６１】
図１３は、他の連結構造を示す図である。
図１３に示すように、複数の採光ユニット１０を連結部材２１により横方向に連結する構成としてもよい。このため、各連結部材２１の機能としては、水平方向（Ｙ方向）で隣り合う採光ユニット１０の間に隙間が生じないように連結することが主となる。
これにより、部屋の左右方向に広い窓への設置も容易となる。
【００６２】
［第３実施形態］
次に、本発明に係る第３実施形態の採光装置３０の構成について説明する。
図１４Ａは、第３実施形態の採光装置の構成を示す図、図１４Ｂは、図１４ＡのＣ−Ｃ’線に沿う断面図である。
図１５Ａは、第３実施形態の採光装置の使用状態を示す図であり、図１５Ｂは、採光装置を使用していない状態（跳ね上げた状態）を示す図である。
【００６３】
採光装置３０は、図１４Ａ，図１４Ｂに示すように、採光ユニット３１と一対の装着部３２とを備えて構成されるもので、図１５Ａ，図１５Ｂに示すように、採光ユニット３１を上方へ跳ね上げることができる構造となっている。
採光ユニット３１は、採光シート１２と、採光シート１２を保持するフレーム３５と、を有しており、上述した装着部３２を介して窓枠１０９に固定されている。
【００６４】
本実施形態における装着部３２は、図１４Ｂに示すように、回転機構３３を有してなり、回転機構３３により窓枠取付部３２Ｂに対してフレーム取付部３２Ａが傾動する構造となっている。回転機構３３は、図１４Ｂの紙面に対して垂直な方向（Ｙ方向）に延在する回転軸Ｍを有しており、回転軸Ｍの軸回りにフレーム取付部３２Ａを回転させる。すなわち、複数の装着部３２の配列方向に平行な方向に延びる回転軸Ｍを中心として、装着部３２のフレーム取付部３２Ａに取り付けられている採光ユニット３１（フレーム３５）を回転させることにより、天井１００３ａに向けて採光ユニット３１を跳ね上げることができる（図１５Ａ，図１５Ｂ）。
【００６５】
本実施形態のフレーム３５には、部屋１００３の天井１００３ａに予め取り付けられた留め具１００８に係合する係合部３４が設けられている。係合部３４は、例えば、リング状に形成され、留め具１００８の先端１００８ａを環状孔３４ａ内に挿入させた状態で先端１００８ａに係止するものである。これにより、採光ユニット３１を跳ね上げた状態に維持することができる。
【００６６】
本実施形態の採光装置１００によれば、必要に応じて採光装置３０を使用、不使用を選択することが可能となる。つまり、採光機能のＯＮ／ＯＦＦを容易に切り替えることが可能である。
また、窓ガラス８の室内側の面を掃除する際には、採光装置３０を天井１００３ａ側に跳ね上げておけばいいので、清掃作業を行う度にわざわざ採光装置３０を取り外す必要がなく、手間が省ける。
【００６７】
［第４実施形態］
次に、本発明に係る第４実施形態の採光装置４０の構成について述べる。
図１６は、第４実施形態における採光装置の設置状態を示す正面図である。
図１７Ａ及び図１７Ｂは、図１６のＤ−Ｄ’線に沿う断面図であって、図１７Ａは通常の使用時における採光装置を示し、図１７Ｂは解放時における採光装置を示す。
【００６８】
本実施形態における採光装置４０は、採光ユニット４１と、一対の装着部４３，４４を有する装着機構４２と、により構成され、装着機構４２を介して採光ユニット４１が窓に設置されている。本実施形態の装着機構４２は、窓に対して採光ユニット４１を開閉させることのできる開閉機構を兼ね備えており、装着機構４２を構成する一方の装着部４３を支軸にして採光ユニット４１を開閉させる。
【００６９】
装着部４３は、図１７Ａ，図１７Ｂに示すように、窓の上下方向（Ｚ方向）に延在する回転軸Ｎを有しており、回転軸Ｎの軸回りに採光ユニット４１を回転させる構造となっている。
【００７０】
装着部４４は、例えば、一対の係止部４４Ａ，４４Ｂを有して構成され、フレーム１３側に設けた係止部４４Ａを窓枠１０９側に設けた係止部４４Ｂに係止させることで採光ユニット４１を保持する。係止部４４Ａ，４４Ｂの一例として、例えば一対のマグネットを採用してもよい。
【００７１】
本実施形態では、一方の装着部４３によって採光ユニット４１が窓枠１０９に片持ち支持された構成となっているため、装着部４４側では採光ユニット４１の荷重がかからない。よって、装着部４４側の構成を簡単にすることができる。なお、装着部４３，４４は、採光ユニット４１を窓ガラス８に対して平行且つ水平に保持することができれば、いかなる構成も採用できる。
【００７２】
本実施形態の採光装置４０によれば、窓ガラス８の清掃作業を行う際には、採光ユニット４１を室内側へ開くだけでいいため、採光装置４０を窓枠１０９から取り外す手間を省くことができる。また、回転軸Ｎの回りに採光ユニット４１を回転させる構成のため、天井まで採光ユニット４１を持ち上げる必要がない。このため、例えば、身長の低いユーザーであっても、容易に採光ユニット４１を開くことができる。
【００７３】
（太陽高度による影響）
次に、採光ユニットを透過する光量が太陽高度に影響する点について述べる。図１８は、フレームの厚みと入射光量との関係を説明するための図である。
採光装置を介して室内に採り込むことのできる光量は、太陽の高度が大きく影響する。
すなわち、入射光の入射角度θｉｎの変化が大きく影響してくる。
【００７４】
図１８に示すように、入射角度θｉｎで入射する太陽光Ｌのうち、一部が採光ユニットのフレーム１３によって遮光されてしまうことがある。つまり、太陽光Ｌの入射角度θｉｎによっては、採光シート１２の上部側に太陽光が入射しない領域（以下、入射不可領域Ｓ１と言う。）が生じてしまう場合がある。また、採光シート１２を透過した光（射出光）においても、一部がフレーム１３によって遮光されてしまい、透過光が室内へ射出されない領域（以下、射出不可領域Ｓ２と言う。）が生じてしまう。
【００７５】
入射不可領域Ｓ１及び射出不可領域Ｓ２は下記の算式によって得られる。
ここで、フレーム１３内における採光シート１２の設置位置は、フレーム１３の厚み方向（Ｘ方向）において、フレーム１３の入射側端面１３Ｄ側からの距離をＹとし、フレーム１３の射出側端面１３Ｅ側からの距離をＸとすることで表すことができる。
【００７６】
入射不可領域Ｓ１：Ｓ１＝Ｙ×ｔａｎ（θｉｎ）
射出不可領域Ｓ２：Ｓ２＝Ｘ×ｔａｎ（θｏｕｔ）
【００７７】
フレーム１３の上下方向における開口の内寸（以下、縦幅内寸と呼ぶ。）をＨとすると、採光装置における有効入射効率（％）、有効射出効率（％）は下記の算式によって得られる。
【００７８】
有効入射効率（％）＝｛Ｈ−（Ｓ１）｝／Ｈ
有効射出効率（％）＝｛Ｈ−（Ｓ２）｝／Ｈ
【００７９】
図１９は、縦幅内寸をＨ（ｃｍ）としたときのフレームにおける採光シートの設置位置Ｙ（ｃｍ）と、有効入射効率（％）と、の関係を入射角度ごとに示すグラフであり、図２０は、縦幅内寸をＨ（ｃｍ）のフレームにおける採光シートの設置位置Ｙ（ｃｍ）と有効射出効率（％）との関係を射出角度ごとに示すグラフである。
【００８０】
日本においては、一年間で太陽高度（入射光の入射角度θｉｎ）が凡そ３１°〜７８°の範囲内で変化する。
【００８１】
図１９に示すように、太陽高度（入射角度θｉｎ）に関わらず、採光シート１２の設置位置がフレーム１３の内側に入り込む程、すなわち採光シート１２とフレーム１３の入射側端面１３Ｄとの長さＹが長くなる程、有効入射効率が低下して構造ロスが大きくなっている。その中でも、冬至の日（入射角度θｉｎ＝３４°の場合）に比べて、夏至の日（入射角度θｉｎ＝７４°の場合）の方が、有効入射効率が大幅に低下して構造ロスがかなり大きくなっている。これは、太陽高度が高くなればなるほど、フレーム１３によって遮光される光量（採光シート１２における入射不可領域Ｓ１）が増えてしまうことを示している。
【００８２】
一方、射出側では、図２０に示すように、入射側に比べて採光シート１２の設置位置の影響は少ない。但し、採光シート１２から射出される光の射出角度θｏｕｔが３０°の場合には、射出角度θｏｕｔが５°や１０°の場合に比べると有効射出効率の低下度合が大きいことから、採光シート１２の設置位置に多少なりとも影響を受けていることが分かる。とは言え、入射側に比べると構造ロスがかなり少なくて済み、フレーム１３の影響、太陽高度の影響を受け難いと言える。
【００８３】
つまり、採光シート１２の光射出側に生じていた射出不可領域Ｓ２をできる限り減らすためには、採光シート１２の微細構造の設計により、上述したようなフレーム１３の影響、太陽高度の影響を抑えることが可能である。
【００８４】
採光シート１２の入射側に生じてしまう入射不可領域Ｓ１については、採光シート１２をフレーム１３の入射側端面１３Ｄにできるだけ近い位置に配置することで改善することが可能である。
しかしながら、採光シート１２の入射側には微細構造が形成されており、複数の採光部３によって構成される微細構造面３ａが製品の最表面に近い構成とした場合には輸送時などに傷が付きやすくなってしまう。
【００８５】
そこで、以下の実施形態において、入射不可領域Ｓ１の改善と採光シート１２の微細構造の保護を兼ね備えた構成について述べる。
【００８６】
［第５実施形態］
次に、本発明に係る第５実施形態の採光装置５０の構成について述べる。
図２１Ａは、第５実施形態における採光装置の構成を示す正面図、図２１Ｂは、図２１ＡのＥ−Ｅ’線に沿う断面図である。
図２２は、フレームの傾斜面の角度を定義するための図である。
図２３は、フレームの傾斜面の角度と太陽高度との関係を示すグラフである。
【００８７】
図２１Ａ，図２１Ｂに示すように、本実施形態における採光装置５０は、窓ガラス８に対向する一面側に傾斜面５３ａを有するフレーム５３を有している。傾斜面５３ａは、開口部５３Ａの周囲を取り囲む内周面５３ｄの先端側にして形成され、厚み方向内側へ傾斜している。言い換えれば、フレーム５３の一部に、採光シート１２の微細構造面３ａ（主面）の法線方向に対して、光の入射方向側に傾いた傾斜面５３ａが設けられた構成となっている。
【００８８】
図２２に示すように、フレーム５３の外周面５３ｅと傾斜面５３ａとの成す角度θｆは、設置する窓の方位や太陽高度に応じて設定する。一年のうちで最も太陽高度が低くなる冬至の日には入射光の入射角度θｉｎが凡そ３１°（図２３）となり、一年のうちで最も太陽高度が高くなる夏至の日には入射光の入射角度θｉｎが凡そ７８°（図２３）にまでになる。このため、入射角度θｉｎが最大になる角度をフレーム５３の外周面５３ｅと傾斜面５３ａとの成す角度θｆに設定する（θｆ＝θｉｎＭａｘ）。
【００８９】
ここで、図２２及び図２３に示すように、少なくともフレーム５３の外周面５３ｅと傾斜面５３ａとの成す角度θｆを３０°以下に設定すると、入射光の一部を常に遮ることになるため好ましくない。また、傾斜面５３ａの傾斜角度θｆを８０°以上に設定すると、採光シート１２の採光面がフレーム５３の最表面、ひいては採光装置５０の最表面に近くなり、輸送時などに傷が付きやすくなるため好ましくない。このため、傾斜面５３ａの傾斜角度θｆを、３０°≦θｆ≦θ８０とすることが適切な範囲である。
【００９０】
本実施形態の構成によれば、採光シート１２に入射する太陽光がフレーム５３によって遮られてしまうのを防ぐことができる。その結果、太陽高度の影響を受けることなく、より多くの外光を取り込むことが可能となる。
【００９１】
なお、実際にはフレーム５３の端面５３Ｂは曲面になっている。
【００９２】
［第６実施形態］
次に、本発明に係る第６実施形態の採光装置６０について述べる。
図２４Ａは、第６実施形態における採光装置の構成を示す正面図、図２４Ｂは、図２４ＡのＦ−Ｆ’線に沿う断面図である。
図２５は、第６実施形態におけるフレームの上辺側から見た図である。
図２６は、第６実施形態におけるフレームの側面図であって、入射光がフレームの開口部を通過する様子を示す。
【００９３】
図２４Ａ，図２４Ｂに示すように、本実施形態の採光装置６０を構成する採光ユニット６１は、入射側に複数の開口部（光透過部）６３Ａが形成されたフレーム６３を有している。具体的にフレーム６３には、入射側の上辺部６３ａに複数の開口６３Ａが所定の間隔をおいて形成されている。各収納の開口面積や開口６３Ａの数等は、窓の方位や太陽高度等に応じて適宜設定される。
【００９４】
図２５に示すように、平面視矩形状を呈する開口６３Ａは、その長手方向がフレーム６３の幅方向（奥行方向）に沿う形態で形成されている。これにより、入射光の入射角度θｉｎの変化に対応することができる。つまり、採光ユニット６１に入射する入射光の入射角度θｉｎが変化しても、図２６に示すように、入射光の一部を通過させることが可能である。
【００９５】
フレーム６３内に組み込まれる採光シート１２は、フレーム６３の各開口６３Ａと平面視で重ならない位置に配置される。なお、採光シート１２の設置位置は、フレーム６３の厚み方向において、できるだけ開口６３Ａ側に近いことが望ましい。
【００９６】
上述したように、太陽高度（入射光の入射高度θｉｎ）によっては、入射光の一部がフレーム６３によって遮られてしまう。採光シート１２をできるだけフレーム６３の入射端面側に配置することで、採光シート１２に対する入射効率を高めることが可能ではあるが、微細構造面３ａに傷が付き易くなるため配置することができない。
【００９７】
そこで、本実施形態の採光装置６０は、フレーム６３に入射光を透過させるための開口６３Ａを設けた構成となっている。採光シート１２の採光面を保護するためにフレーム６３の内側に入り込んだ位置に採光シート１２を配置した構成にしても、フレーム６３の開口６３Ａを通過した光を採光シート１２に入射させることができる。このため、採光シート１２の入射側で生じてしまう入射不可領域を大幅に削減することができる。その結果、採光シート１２において採光可能な面積が増加し、より多くの光を室内に採り入れることができる。
【００９８】
なお、開口６３Ａの平面視における形状は上述したものに限らない。例えば、図２７に示すように、フレーム６４の上辺部６４ａの長手方向略全体に亘って一つの開口部（光透過部）６４Ａを形成してもよい。この場合、開口部６４Ａ内に透明部材６５を配置することが好ましい。透明部材６５としては、アクリル板、ガラス板、ポリカーボネート板等が挙げられる。なお、上述したフレーム６３においても各開口６３Ａに透明部材６５を配置してもよい。
【００９９】
［第７実施形態］
次に、本発明に係る第７実施形態の採光装置７０の構成について述べる。
図２８Ａ及び図２８Ｂは、第７実施形態の採光装置における採光ユニットの構成を模式的に示す図であって、図２８Ａは正面図、図２８Ｂは図２８ＡのＩ−Ｉ’線に沿う断面図である。
図２９Ａ及び図２９Ｂは、周囲の温度変化によって採光シートに変形が生じる様子を示す図であって、図２９Ａは常温時、図２９Ｂは高温時（膨張変化時）の様子を示す。
【０１００】
図２８Ａ，図２８Ｂに示すように、本実施形態の採光装置７０は、採光シート１２の外形寸法に対して溝部７４の内形寸法に余裕を持たせたフレーム７３を備えている。具体的にフレーム７３は、上下方向及び左右方向における採光シート１２の外形寸法ｈ１，ｈ２よりも、採光シート１２を保持する溝部７４の内形寸法ｈ３，ｈ４の方が大きい構造を有している。これにより、周囲の温度変化によって膨張する採光シート１２の形状変化に対応できる構成となっている。なお、フレーム７３の開口部７３Ａは、採光シート１２の平面視における面積よりも小さい開口面積で形成されている。
【０１０１】
図２９Ａに示すように、常温時においては、採光シート１２がフレーム７３の溝部７４に対して余裕を持った状態で保持されている。具体的に、採光シート１２はその下端面１２ｄがフレーム７３の溝部７４の底面７４ｃに当接し、下端面１２ｄ以外の側端面１２ｅと溝部７４の底面７４ｃとの間に隙間が設けられた状態でフレーム７３により保持されている。このため、周囲環境の温度が高温になって、採光シート１２が図２９Ｂに示すように面方向に膨張変形した場合においても、採光シート１２の周縁部１２Ｃが溝部７４の底面７４ｃに当接して撓んだりすることなく、平坦な姿勢が維持される。
【０１０２】
図３０は、温度変化に伴う形状変化と平均線膨張係数との関係を示す図である。
図３０では、採光シート１２に用いられる主な材料として、アクリル、ＰＥＴ、ＰＣを挙げている。各材料の平均的な線膨張係数は凡そ７（１０‐５／℃）である。
採光シート１２の一方向において、常温（２０℃）のときに、採光シート１２の外形寸法に対して、溝部７４の内形寸法に４．２ｍｍ／ｍ以上の余裕を設ける。これにより、高温（８０℃）のときに、採光シート１２がフレーム７３の内側（溝部１４の底面１４ｃ）に当接することを防ぐことができる。
【０１０３】
採光シート１２がフレーム７３内に隙間なく保持されるように設計されていた場合、採光シート１２の膨張変化に対応することができず、採光シート１２を平坦に保持することができなくなってしまう。このため、予め予想可能な周囲環境の温度変化を考慮し、採光シート１２の膨張率に応じてフレーム７３の溝部７４の寸法を設定することにより、季節や設置場所による温度変化に関わらず、採光シート１２を良好に保持することが可能である。
【０１０４】
［第８実施形態］
次に、本発明の第８実施形態の採光装置について説明する。
図３１Ａは、第８実施形態の採光装置の全体構成を示す正面図である。
図３１Ｂは、温度検出材の設置状態を示す図である。
【０１０５】
図３１Ａ、図３１Ｂに示すように、採光装置８０は、採光シート１２を保持するフレーム１３の内部に温度検知部材（温度管理用部材）８１が設けられている。
温度検知部材８１は、採光装置８０が所定温度以上の異常な高温状態になった際に、その温度を不可逆的に表示するものである。例えば、温度検知部材８１として、温度に応じて順次変色する複数の領域Ｓａ〜Ｓｅから成る検知部８２を有し、一度変色すると元の色には戻らない不可逆性の検出シールを採用することができる。
【０１０６】
これにより、採光装置８０の温度を常時監視することなく、採光装置８０の温度変化の記録を残すことが可能である。また、採光装置８０の温度変化を不可逆的に表示することが可能であるため、採光装置８０に異常が生じたときの原因が熱であることを示す証拠となる。
【０１０７】
なお、本実施形態の温度検知部材８１は、フレーム１３における溝部１４の底面１４ｃに貼り付けられているが、これに限らない。ユーザーが容易に確認できるように、フレームの外側の表面に貼り付けるようにしてもよい。
【０１０８】
［第９実施形態］
次に、本発明の第９実施形態の採光装置について説明する。
図３２は、第９実施形態の採光装置における採光ユニットの要部構成を示す平面図である。図３２に示すように、本実施形態の採光装置９０（採光ユニット９１）は、枠形状を形作る側辺部９３ａ，９３ｂ，９３ｃ，９３ｄの一部が緩衝材９５からなるフレーム９３を備えている。
【０１０９】
フレーム９３の各側辺部９３ａ，９３ｂ，９３ｃ，９３ｄは、一対のフレーム部材９４間に緩衝材９５が配置されてなる。緩衝材９５としては、例えば、柔らかい材質（ゴムなどの弾性部材などでもよい）のものが好ましい。
【０１１０】
フレーム９３の全体を金属部材で構成するのではなく、一部に緩衝材９５を設けた構成とすることで、フレーム９３の熱膨張あるいは伸縮に伴う周辺部材との歪を緩和することができる。本実施形態では、フレーム９３を構成する各側辺部９３ａ，９３ｂ，９３ｃ，９３ｄのそれぞれが緩衝材９５を備えているため、フレーム９３の上下方向及び左右方向への形状変化に対応することができる。
【０１１１】
［第１０実施形態］
次に、本発明に係る第１０実施形態の採光装置について説明する。
図３３は、第１０実施形態の採光装置における採光ユニットの要部構成を示す平面図である。図３４は、第１０実施形態のフレームの構成を説明するための斜視図である。
【０１１２】
図３３に示すように、本実施形態の採光装置１１０（採光ユニット１１１）は、採光シート１２を保持するフレーム１１３の大きさを自在に調整できる構成となっている。
フレーム１１３は、枠形状を形作る側辺部１１３ａ，１１３ｂ，１１３ｃ，１１３ｄのそれぞれに伸縮部１１５が設けられており、フレーム１１３の外周に沿う方向に伸縮可能とされている。
【０１１３】
伸縮部１１５は、図３４に示すように、一対のフレーム部材１１３Ａ，１１３Ａを連結する連結具１１６と、各フレーム部材１１３Ａと連結具１１６とをそれぞれ固定するための一対のネジ１１７，１１７と、を備えている。連結具１１６には各フレーム部材１１３Ａ，１１３Ａの固定位置の調整を可能とする位置調整孔６ａが複数形成されおり、いずれかの位置調整孔６ａとフレーム部材１１３Ａ，１１３Ａ側のネジ孔（不図示）とにネジ１１７を螺合させることで、連結具１１６とフレーム部材１１３Ａ，１１３Ａとが連結されることになる。
【０１１４】
本実施形態の伸縮部１１５によれば、窓の大きさに合わせて、ネジ止めする位置調整孔６ａを替えて、連結具１１６に対するフレーム部材１１３Ａ，１１３Ａの固定位置を変化させることによって、フレーム１１３のサイズを調整することが可能である。
【０１１５】
これにより、例えば、採光シート１２をフレーム１１３に保持させる際、採光シート１２を撓ませながら行わずに済むため、採光シート１２をフレーム１１３に組み込む作業が容易になる。
【０１１６】
［第１１実施形態］
次に、第１１実施形態の採光装置の構成について述べる。
図３５は、第１１実施形態の採光装置の概略構成を示す断面図である。
図３５に示すように、採光装置１２０は、採光シート１２と、採光シート１２の光入射側に設けられた紫外線カット層１２１とが、フレーム１３に収容された採光ユニット１２２を備えている。紫外線カット層１２１は、紫外線を大幅にカットして可視光線を透過させるフィルムである。
【０１１７】
採光シート１２の光入射側に紫外線カット層１２１を配置することによって、紫外線による採光シート１２の劣化を抑えることができる。これにより、採光シート１２の長期使用が可能となり、取り替え等のメンテナンスも不要になる。また、紫外線カット層１２１で採光シート１２の微細構造面側を覆うことによって、微細構造を保護できるとともに掃除等も簡単になる。また、室内の家具や壁材等の日焼け（色褪せ）も抑えられる。
【０１１８】
図３６は、ＵＶカット対策が施されたＰＥＴフィルムの光線透過率（破線で示すグラフ）と、ＵＶカット対策が施されていないＰＥＴフィルムとにおける光線透過率（実線で示すグラフ）と、を示すグラフである。図中におけるグラフの横軸は波長（ｎｍ）を示し、縦軸は光線透過率（％）を示す。
【０１１９】
本実施形態の採光装置１２０に用いる紫外線カット層１２１としては、３００ｎｍ〜３８０ｎｍの間の波長の光を吸収するようなＵＶ吸収材がＰＥＴフィルムに混入されていればよい。ＵＶ吸収材がＰＥＴフィルムに混入された結果、紫外線カット層１２１の透過スペクトルは図３６の破線のグラフで示すような特性となる。
【０１２０】
ＵＶ吸収材が混入されたＰＥＴフィルムを本実施形態における紫外線カット層１２１として採用し、紫外線カット層１２１を採光シート１２の光入射側に配置することによって、採光シート１２の劣化（変色等）が抑えられ、長時間の使用に耐え得る採光装置１２０が実現される。
【０１２１】
［第１２実施形態］
次に、第１２実施形態の採光装置の構成について述べる。
図３７は、第１２実施形態の採光装置の構成を示す断面図である。図３８は、光拡散層の一形態を示す斜視図である。
図３７に示すように、本実施形態の採光装置１３０は、採光シート１２と、光拡散層１３１とが、フレーム１３に収容された採光ユニット１３２を備えている。
【０１２２】
光拡散層１３１は、採光シート１２の光射出側に配置されており、採光シート１２からの光を拡散させて室内へ射出させるものである。本実施形態の光拡散層１３１は、光拡散特性に異方性を有しており、Ｙ方向（左右方向）に強い光拡散性を示すように構成されている。
具体的に、光拡散層１３１は、図３８に示すように、複数の凸レンズ部（凸部）３７により構成されるレンチキュラーレンズ構造体３６からなる。複数の凸レンズ部３７は、各々がＺ方向（鉛直方向）に延び、互いに平行にＹ方向に配列されている。このような構成の  光拡散層１３１は、レンチキュラーレンズ構造体３６の背面３６ｂ側を採光シート１２に対向させた姿勢で設けられている。
【０１２３】
凸レンズ部３７のレンズ面３７ａは、水平面内で曲率を有し、鉛直方向には曲率を有していない。したがって、凸レンズ部３７は、Ｙ方向（水平方向）に高い光拡散性を有し、鉛直方向には光拡散性を有していない。よって、光拡散層１３１に入射した光は、凸レンズ部３７から射出する際にＹ方向（水平方向）に大きく拡散し、鉛直方向には拡散することなく射出される。
【０１２４】
次に、光拡散層の光拡散特性について説明する。
図３９は、光拡散層の光散乱特性を示すグラフである。具体的に、図３９は、光拡散層に対して垂直方向から測定光が照射され、反対側の受光器を極角方向に動かして受光した光強度について、ピーク値を１として規格化したグラフである。
【０１２５】
光拡散層のＹ方向（水平方向）での半値全幅としては、１５度から６０程度のものが用いられる。
【０１２６】
一方で、光拡散層のＺ方向（上下方向）の拡散程度としては天井方向を照明する光の指向性をあまり落とさない様に、半値全幅が数度から２０度程度の弱散乱フィルムが望ましい。光が上下方向に拡がると、天井方向を照らしている光が室内の床側に居る人の方向に拡散し、指向性が高い場合に比べて人が見る輝度が高くなってしまう。そのため、光拡散層としては、左右方向に光を特異的に拡散させ、上下方向にはあまり光を拡散させない異方性散乱層であることが望ましい。
【０１２７】
本実施形態では、光拡散層１３１を通過する前の測定光の半値全幅が５度である場合、左右方向では半値全幅１７度で光が拡散しているが、上下方向での光の拡散は半値全幅５度となっており、殆ど光は拡散していない。
このように、採光シート１２からの光を光拡散層１３１により左右方向に特異的に拡散させて射出させることができる。
【０１２８】
なお、光拡散層１３１としては、上述した以外の形態であってもよい。
例えば、図４０に示すように、支持基材３１１の一面３１１ａ側に、一方向に延在する複数の凸部１３３を備えたスジ状の微細形状を有した光拡散層３０１を用いてもよい。光拡散層３０１は、概ね短手方向（Ｚ方向）に延在する凸部１３３が支持基材３１１の長手方向（Ｙ方向）に並ぶ、いわゆる疑似ストライプ構造を有している。このように、一方向（Ｙ方向）に光拡散性を持ち、これに直交する他の方向（Ｚ方向）には光拡散性をあまり持たない疑似ストライプ構造の光拡散層３０１であってもよい。
【０１２９】
図４１Ａ及び図４１Ｂは、採光スラットの光拡散特性を説明するための部屋モデルの模式図であって、図４１Ａは部屋を上方から見た図、図４１Ｂは部屋を側方から見た図である。
図４１Ａ，図４１Ｂに示すように、採光シート１２に光拡散性が付与されていない場合（実線で示す矢印）、採光シート１２で採光された外光は直進的に部屋１００３に入射する。従って、晴天日のような太陽光が採光装置を直射する日は、太陽高度にもよるが、採光シート１２が屈折した太陽光を映し込んで、本来天井を照射する光線を人が直接見てしまうとこれが眩しく不快なグレアとして認識されてしまう。太陽光は輝度と指向性の非常に高い点光源とみなすことが出来るため、この光が直進的に入射した場合、光線はこの高輝度・高指向性という特性を備えたまま部屋に入射することになる。この光が、万が一、室内の人１００４の眼に入ってしまった場合はとても眩しく感じてしまう。
【０１３０】
光拡散層１３１は、このグレアを防止することを一つの目的として備えられることが望ましい。外から入射した太陽光を含む外光は、室内へ入射する前に拡散されて柔らかい光に変換されて提供されることが望ましい。図４１Ａに示すように、光拡散層１３１により、部屋１００３の左右方向に特異的に光が拡散させることにより、図４１Ｂに示すように、特定方向（上下方向）の輝度が低減されてグレアを引き起こしにくくなっている。
【０１３１】
また、光拡散性が付与された場合、部屋の奥に届く光量は少なくなるが、横方向への拡がりが得られる利点がある。光が横方向に拡がることによって、窓が小さくても部屋の（横方向に）端から端に渡る全体を明るくすることが出来る。また、太陽光が斜めから差し込んでも部屋の中央部を明るくすることが出来るなどの利点がある。
【０１３２】
［第１３実施形態］
次に、本発明に係る第１３実施形態の採光装置について述べる。
図４２は、第１３実施形態の採光装置の構成を示す斜視図である。図４３は、第１３実施形態の採光装置の構成を示す断面図である。
【０１３３】
図４２及び図４３に示すように、本実施形態の採光装置１４０は、採光ユニット１４１の下部に遮光ユニット１４２をさらに備えた構成となっている。
遮光ユニット１４２は、一対の取付部１８，１８を介して採光ユニット１０の下部に取り付けられている。本実施形態では、遮光ユニット１４２としてブラインド４０１を用いている。ブラインド４０１は、所定の間隔を空けて並んで配置された複数の採光スラット４０２と、複数の採光スラット４０２を互いに傾動自在に支持する傾動機構（不図示）と、傾動機構（不図示）によって連結された複数の採光スラット４０２を出し入れ可能に折り畳んで収納する収納機構４０８と、を備えている。
このようなブラインド４０１は、一対の取付部１８，１８によって、収納機構４０８が採光ユニット１４１のフレーム１３の下部に取り付けられることで固定されている。
【０１３４】
今までは、プライバシーの観点あるいは遮光目的の観点から窓一面を覆うようにブラインド４０１を設けた場合、ブラインド４０１を閉じると部屋全体が暗くなってしまい、日中であるにも関わらす結局は照明を点灯させなければならないことがある。
【０１３５】
本実施形態の採光装置１４０は、図４３に示すように、遮光ユニット１４２の遮視機能と採光ユニット１４１の採光機能とを併せ持つ構成のため、ブラインド４０１が閉まっている状態でも、採光ユニット１４１により外光を採光して室内へ照射させることができ、室内が暗くなることがない。また、ブラインド４０１の開状態を調整することによって、室内の明るさを操作することができる。この結果、昼間において室内で電球を点灯する必要がなくなり、日中に照明設備が消費する電力を削減することができる。
【０１３６】
なお、本実施形態では、遮光ユニット１４２としてブラインド４０１を用いたがこれに限ることはなく、ロールカーテンなどを用いてもよい。
【０１３７】
本実施形態の採光装置１４０は、ブラインドやロールカーテン等と同程度の奥行き寸法で製造することが可能であるため、室内の設置場所を改めて確保する必要もなく、従来と同じ感覚で使用することができる。
【０１３８】
［第１４実施形態］
次に、本発明に係る第１４実施形態の採光装置について述べる。
図４４は、第１４実施形態の採光装置の構成を示す図である。図４５Ａ〜図４５Ｃは、第１４実施形態の採光装置の機能について説明するための図であって、図４５Ａはブラインドの開状態を示し、図４５Ｂはブラインドの開放状態を示し、図４５Ｃは、ブラインドの閉状態をそれぞれ示す図である。
【０１３９】
本実施形態の採光装置１５０は、採光ユニット１４１と、採光ユニット１４１の下部に設けられた第１の遮光ユニット１４２と、採光ユニット１４１の光射出側に設けられた第２の遮光ユニット１４３と、を備えて構成されている。
【０１４０】
第１の遮光ユニット１４２は、上述したブラインド４０１であり、取付部１４５を介して採光ユニット１４１のフレーム１３の下部に取り付けられている。
第２の遮光ユニット１４３は、ブラインド４０１と同様の構成を成すブラインド４０３であって装着部１１を介して、採光ユニット１４１の光射出側の窓枠１０９に装着されている。
【０１４１】
なお、第２の遮光ユニット１４３（ブラインド４０３）の収納機構４０８が、採光ユニット１４１のフレーム１３と一体に構成されていてもよい。こうすることで装着部１１の数を減らすことができるため、装着の手間がかからない。
【０１４２】
本実施形態の構成によれば、必要に応じて採光ユニット１４１の機能を有効にすることができる。つまり、図４５Ａに示すように、採光ユニット１４１の光射出側に設けたブラインド４０３を開状態にする、あるいは、図４５Ｂに示すように、ブラインド４０３の全てのスラット４０２を収納機構４０８に収納させることにより、採光ユニット１４１により採光された光を室内に採り込むことができる。一方、図４５Ｃに示すように、ブラインド４０３を閉じることで採光ユニット１４１からの光を遮光することが可能である。
【０１４３】
このように、第２の遮光ユニット１４３のブラインド４０３を開閉させることで、採光状態及び全遮光状態を切り替えることが可能となる。これにより、例えば、第１の遮光ユニット１４２及び第２の遮光ユニット１４３の各ブラインド４０１、４０３を閉じることによって、室内に外光が入り込むのを完全になくすことができるとともに、屋外から室内の様子を伺うことができなくなる。第２の遮光ユニット１４３のブラインド４０３が設けられていない場合、夜間に室内の照明をつけた際に、たとえ第１の遮光ユニット１４２のブラインド４０１を閉じていたとしても、採光ユニット１４１側から室内の光が漏れてしまうため屋外から室内の様子を伺うことができてしまうが、第２の遮光ユニット１４３のブラインド４０３を設けることによって採光ユニット１４１側も全遮光状態とすることによって、プライバシー効果をさらに高めることが可能となる。
【０１４４】
［照明調光システム］
図４６は、採光装置及び照明調光システムを備えた部屋モデル２０００を示す図であって、図４７のＪ−Ｊ’線に沿う断面図である。図４７は、部屋モデル２０００の天井を示す平面図である。
【０１４５】
本発明において、外光が導入される部屋２００３の天井２００３ａを構成する天井材は、高い光反射性を有していてもよい。図４６及び図４７に示すように、部屋２００３の天井２００３ａには、光反射性を有する天井材として、光反射性天井材２００３Ａが設置されている。光反射性天井材２００３Ａは、窓２００２に設置された採光装置２０１０からの外光を室内の奥の方に導入することを促進することを目的とするもので、窓際の天井２００３ａに設置されている。具体的には、天井２００３ａの所定の領域Ｅ（窓２００２から約３ｍの領域）に設置されている。
【０１４６】
この光反射性天井材２００３Ａは、先に述べたように、本発明の採光装置２０１０（上述したいずれかの実施形態の採光装置）が設置された窓２００２を介して室内に導入された外光を室内の奥の方まで効率よく導く働きをする。採光装置２０１０から室内の天井２００３ａへ向けて導入された外光は、光反射性天井材２００３Ａで反射され、向きを変えて室内の奥に置かれた机２００５の机上面２００５ａを照らすことになり、当該机上面２００５ａを明るくする効果を発揮する。
【０１４７】
光反射性天井材２００３Ａは、拡散反射性であってもよいし、鏡面反射性であってもよいが、室内の奥に置かれた机２００５の机上面２００５ａを明るくする効果と、室内に居る人とって不快なグレア光を抑える効果を両立するために、両者の特性が適度にミックスされたものが好ましい。
【０１４８】
本発明の採光装置２０１０によって室内に導入された光の多くは、窓２００２の付近の天井に向かうが、窓２００２の近傍は光量が十分である場合が多い。そのため、上記のような光反射性天井材２００３Ａを併用することによって、窓付近の天井（領域Ｅ）に入射した光を、窓際に比べて光量の少ない室内の奥の方へ振り分けることができる。
【０１４９】
光反射性天井材２００３Ａは、例えば、アルミニウムのような金属板に数十ミクロン程度の凹凸によるエンボス加工を施したり、同様の凹凸を形成した樹脂基板の表面にアルミのような金属薄膜を蒸着したりして作成することができる。あるいは、エンボス加工によって形成される凹凸がもっと大きな周期の曲面で形成されていてもよい。
【０１５０】
さらに、光反射性天井材２００３Ａに形成するエンボス形状を適宜変えることによって、光の配光特性や室内における光の分布を制御することができる。例えば、室内の奥の方に延在するストライプ状にエンボス加工を施した場合は、光反射性天井材２００３Ａで反射した光が、窓２００２の左右方向（凹凸の長手方向に交差する方向）に拡がる。部屋２００３の窓２００２の大きさや向きが限られているような場合は、このような性質を利用して、光反射性天井材２００３Ａによって光を水平方向へ拡散させるとともに、室内の奥の方向へ向けて反射させることができる。
【０１５１】
本発明の採光装置２０１０は、部屋２００３の照明調光システムの一部として用いられる。照明調光システムは、例えば、採光装置２０１０と、複数の室内照明装置２００７と、窓に設置された日射調整装置２００８と、これらの制御系と、天井２００３ａに設置された光反射性天井材２００３Ａと、を含む部屋全体の構成部材から構成される。
【０１５２】
部屋２００３の窓２００２には、上部側に採光装置２０１０が設置され、下部側に日射調整装置２００８が設置されている。ここでは、日射調整装置２００８として、ブラインドが設置されているが、これに限らない。
【０１５３】
部屋２００３には、複数の室内照明装置２００７が、窓２００２の左右方向（Ｙ方向）および室内の奥行き方向（Ｘ方向）に格子状に配置されている。これら複数の室内照明装置２００７は、採光装置２０１０と併せて部屋２００３の全体の照明システムを構成している。
【０１５４】
図４６及び図４７に示すように、例えば、窓２００２の左右方向（Ｙ方向）の長さＬ１が１８ｍ、部屋２００３の奥行方向（Ｘ方向）の長さＬ２が９ｍのオフィスの天井２００３ａを示す。ここでは、室内照明装置２００７は、天井２００３ａの横方向（Ｙ方向）及び奥行方向（Ｘ方向）に、それぞれ１．８ｍの間隔Ｐをおいて格子状に配置されている。
より具体的には、５０個の室内照明装置２００７が１０行（Ｙ方向）×５列（Ｘ方向）に配列されている。
【０１５５】
室内照明装置２００７は、室内照明器具２００７ａと、明るさ検出部２００７ｂと、制御部２００７ｃと、を備え、室内照明器具２００７ａに明るさ検出部２００７ｂ及び制御部２００７ｃが一体化されて構成されたものである。
【０１５６】
室内照明装置２００７は、室内照明器具２００７ａ及び明るさ検出部２００７ｂをそれぞれ複数ずつ備えていてもよい。但し、明るさ検出部２００７ｂは、各室内照明器具２００７ａに対して１個ずつ設けられる。明るさ検出部２００７ｂは、室内照明器具２００７ａが照明する被照射面の反射光を受光して、被照射面の照度を検出する。ここでは、明るさ検出部２００ｂによって、室内に置かれた机２００５の机上面２００５ａの照度を検出する。
【０１５７】
各室内照明装置２００７に１個ずつ設けられた制御部２００７ｃは、互いに接続されている。各室内照明装置２００７は、互いに接続された制御部２００７ｃにより、各々の明るさ検出部２００７ｂが検出する机上面２００５ａの照度が一定の目標照度Ｌ０（例えば、平均照度：７５０ｌｘ）になるように、それぞれの室内照明器具２００７ａのＬＥＤランプの光出力を調整するフィードバック制御を行っている。
【０１５８】
図４８は、採光装置によって室内に採光された光（自然光）の照度と、室内照明装置による照度（照明調光システム）との関係を示すグラフである。
図４８に示すように、採光装置２０１０により採光された光に起因する机上面照度は、窓近傍ほど明るく、窓から遠くなるに従ってその効果は小さくなる。本発明の採光装置２０１０を適用した部屋では、昼間において窓からの自然採光によりこのような部屋奥方向への照度分布が生じる。そこで、本発明の採光装置２０１０は、室内の照度分布を補償する室内照明装置２００７と併用して用いられる。室内天井に設置された室内照明装置２００７は、それぞれの装置の下の平均照度を明るさ検出部２００７ｂによって検出し、部屋全体の机上面照度が一定の目標照度Ｌ０になるように調光制御されて点灯する。従って、窓近傍に設置されているＳ１列、Ｓ２列はほとんど点灯せず、Ｓ３列、Ｓ４列、Ｓ５列と部屋奥方向に向かうに従って出力を上げながら点灯される。結果として、部屋の机上面は自然採光による照度と室内照明装置２００７による照明の合計で照らされ、部屋全体に渡って執務をする上で十分とされる机上面照度である７５０ｌｘ（「ＪＩＳ  Ｚ９１１０  照明総則」の執務室における推奨維持照度）を実現することができる。
【０１５９】
以上述べたように、採光装置２０１０と照明調光システム（室内照明装置２００７）とを併用することにより、室内の奥の方まで光を届けることが可能となり、室内の明るさをさらに向上させることができるとともに部屋全体に渡って執務をする上で十分とされる机上面照度を確保することができる。したがって、季節や天気による影響を受けずにより一層安定した明るい光環境が得られる。
【０１６０】
以上、添付図面を参照しながら本発明に係る好適な実施形態について説明したが、本発明は係る例に限定されないことは言うまでもない。当業者であれば、特許請求の範囲に記載された技術的思想の範疇内において、各種の変更例または修正例に想到し得ることは明らかであり、それらについても当然に本発明の技術的範囲に属するものと了解される。各実施形態の構成を適宜組み合わせてもよい。
【０１６１】
例えば、採光部３については、上述した断面六角形状のプリズム体により構成されたものに限らず、断面三角形状、断面台形（矩形）状、断面視五角形状のプリズム体により構成されたものであってもよく、その断面形状についても適宜変更を加えることができる。
【産業上の利用可能性】
【０１６２】
本発明の一態様は、屋外の自然光（太陽光）を屋内に効率良く採り入れるとともに、屋内に居る人に眩しさを感じさせずに、屋内の奥の方まで明るく感じさせることができるとともに、窓ガラスに対して容易に取り外しが可能とすることが必要な採光装置などに適用することができる。
【符号の説明】
【０１６３】
１，２０，３０，４０，５０，６０，７０，８０，９０，１００，１１０，１２０，１３０，１４０，１５０…採光装置、２…基材、２ａ…第１面、３…採光部、３Ｄ，３Ｅ，３Ｆ…第４面、第５面、第６面（反射面）、４…空隙部、Ｌ，Ｌ２…光、Ｍ，Ｎ…回転軸、１０（１０Ａ，１０Ｂ，１０Ｃ），３１，４１，６１，９１，１１１，１２２，１３２，１４１…採光ユニット、１１，３２，４３，４４…装着部、１２…採光シート、１２Ｃ…周縁部、１３…フレーム（支持部材）、１３Ｃ…内壁面、１４，７４…溝部、１４ｃ…底面、２１…連結部材、３３…回転機構、５３ａ…傾斜面、６３Ａ，６４Ａ…開口部（光透過部）、８１…温度検知部材（温度管理用部材）、１０９…窓枠（被装着物）、１００３ｂ，１００３ｄ…壁
【図１】
2015174397.tif 000003
【図２】
2015174397.tif 000004
【図３Ａ】
2015174397.tif 000005
【図３Ｂ】
2015174397.tif 000006
【図４】
2015174397.tif 000007
【図５】
2015174397.tif 000008
【図６】
2015174397.tif 000009
【図７】
2015174397.tif 000010
【図８】
2015174397.tif 000011
【図９Ａ】
2015174397.tif 000012
【図９Ｂ】
2015174397.tif 000013
【図９Ｃ】
2015174397.tif 000014
【図９Ｄ】
2015174397.tif 000015
【図１０】
2015174397.tif 000016
【図１１】
2015174397.tif 000017
【図１２】
2015174397.tif 000018
【図１３】
2015174397.tif 000019
【図１４Ａ】
2015174397.tif 000020
【図１４Ｂ】
2015174397.tif 000021
【図１５Ａ】
2015174397.tif 000022
【図１５Ｂ】
2015174397.tif 000023
【図１６】
2015174397.tif 000024
【図１７Ａ】
2015174397.tif 000025
【図１７Ｂ】
2015174397.tif 000026
【図１８】
2015174397.tif 000027
【図１９】
2015174397.tif 000028
【図２０】
2015174397.tif 000029
【図２１Ａ】
2015174397.tif 000030
【図２１Ｂ】
2015174397.tif 000031
【図２２】
2015174397.tif 000032
【図２３】
2015174397.tif 000033
【図２４Ａ】
2015174397.tif 000034
【図２４Ｂ】
2015174397.tif 000035
【図２５】
2015174397.tif 000036
【図２６】
2015174397.tif 000037
【図２７】
2015174397.tif 000038
【図２８Ａ】
2015174397.tif 000039
【図２８Ｂ】
2015174397.tif 000040
【図２９Ａ】
2015174397.tif 000041
【図２９Ｂ】
2015174397.tif 000042
【図３０】
2015174397.tif 000043
【図３１Ａ】
2015174397.tif 000044
【図３１Ｂ】
2015174397.tif 000045
【図３２】
2015174397.tif 000046
【図３３】
2015174397.tif 000047
【図３４】
2015174397.tif 000048
【図３５】
2015174397.tif 000049
【図３６】
2015174397.tif 000050
【図３７】
2015174397.tif 000051
【図３８】
2015174397.tif 000052
【図３９】
2015174397.tif 000053
【図４０】
2015174397.tif 000054
【図４１Ａ】
2015174397.tif 000055
【図４１Ｂ】
2015174397.tif 000056
【図４２】
2015174397.tif 000057
【図４３】
2015174397.tif 000058
【図４４】
2015174397.tif 000059
【図４５Ａ】
2015174397.tif 000060
【図４５Ｂ】
2015174397.tif 000061
【図４５Ｃ】
2015174397.tif 000062
【図４６】
2015174397.tif 000063
【図４７】
2015174397.tif 000064
【図４８】
2015174397.tif 000065
【国際調査報告】
2015174397.tif 000066
2015174397.tif 000067